(57)【特許請求の範囲】
【請求項１】
商用電源から電源供給を受けて通話制御を行うマイクロコンピュータと、通話動作の開始と終了を操作する接点スイッチと、コードレス電話機と無線通信する無線部と、スピーカ及びマイクロフォンを含むハンズフリーホン部と、加入者回線を前記無線部と前記ハンズフリーホン部とのいずれか一方に接続する接続回路とを有し、加入者回線を介して通話動作する電話装置において、
前記マイクロコンピュータは、
通話動作中、前記商用電源からの電源供給断を検出する検出手段と、
前記検出手段により前記電源供給断が検出された場合に前記接続回路を操作して前記ハンズフリーホン部による通話状態を保持する通話保持制御手段と、
を有することを特徴とする電話装置。
【請求項２】
コードレス電話機と、商用電源から電源供給を受けて通話制御を行うマイクロコンピュータと、通話動作の開始と終了を操作する接点スイッチと、前記商用電源から電源供給を受けて前記コードレス電話機と無線通信する無線部と、スピーカ及びマイクロフォンを含むハンズフリーホン部と、前記加入者回線を前記無線部と前記ハンズフリーホン部とのいずれか一方に接続する接続回路とを有し、前記加入者回線を介して通話動作する電話装置において、
前記商用電源による電源供給に並行して、前記加入者回線の給電に基づいて前記商用電源よりも低い電位で前記マイクロコンピュータに電源供給を行う電源供給回路を有し、
前記マイクロコンピュータは、
通話動作中、前記商用電源からの電源供給断を検出する検出手段と、
前記検出手段により前記電源供給断が検出された場合に前記接続回路の接続対象を判別する判別手段と、
前記判別手段により前記接続対象が前記無線部であるという判別結果が得られた場合にのみ、通話動作を保留状態にすると共に、前記接続回路を操作して前記加入者回線との接続を前記無線部から前記ハンズフリーホン部に切り換える保留及び接続切換制御手段と、
前記保留及び接続切換制御手段による前記保留状態の間に前記接点スイッチが操作された場合に前記保留状態を解除する保留解除制御手段と、
を有することを特徴とする電話装置。
【請求項３】
前記保留及び接続切換制御手段は、ＤＴＭＦ発生回路を有し、該ＤＴＭＦ発生回路により発生させたＤＴＭＦ信号を前記加入者回線と前記ハンズフリーホン部とに送出することを特徴とする請求項２記載の電話装置。
【発明の詳細な説明】
【０００１】
【発明の属する技術分野】
この発明は、電話装置に関し、詳細には、商用電源から電源供給を受けることにより加入者回線を介して通話動作を実施する電話装置に関する。
【０００２】
【従来の技術】
従来、この種の電話装置は、受話器がコードレスとなったコードレス電話機を有しており、このコードレス電話機によって通話を行う構造を有している。
【０００３】
この電話装置には、コードレス電話機をフックさせるメカ的なフックスイッチは設けられていないのが一般的である。
【０００４】
このように、上記電話装置は上記フックスイッチを具備していないので、加入者回線との通電状態を保持できず、商用電源の電源供給断による停電時対策として、乾電池、電気二重層コンデンサ等のバックアップ電源を使用してマイクロコンピュータの動作に必要な電力をバックアップする。
【０００５】
【発明が解決しようとする課題】
上述した従来例による電話装置は、停電時にバックアップ電源を用いて電力をバックアップするようにしているが、バックアップ電源となる乾電池やコンデンサは放電によって電力を供給するので、蓄電されている容量に応じてバックアップによる使用期間が制限されるという問題があった。
【０００６】
この発明は、上述した従来例による問題を解消するため、停電後でも通常と同様に使用時間に制限されずに通話動作を実施することが可能な電話装置を得ることを目的とする。
【０００９】
【課題を解決するための手段】
請求項１の発明に係る電話装置は、商用電源から電源供給を受けて通話制御を行うマイクロコンピュータと、通話動作の開始と終了を操作する接点スイッチと、コードレス電話機と無線通信する無線部と、スピーカ及びマイクロフォンを含むハンズフリーホン部と、加入者回線を前記無線部と前記ハンズフリーホン部とのいずれか一方に接続する接続回路とを有した構成において、マイクロコンピュータでは、検出手段により、通話動作中、商用電源からの電源供給断を検出し、通話保持制御手段により、検出手段により電源供給断が検出された場合に接続回路を操作してハンズフリーホン部による通話状態を保持することを特徴とする。
【００１０】
この請求項１の発明によれば、通話動作中、商用電源からの電源供給断が検出された場合にハンズフリーホン部による通話状態が保持されるようにしたので、加入者回線との接続状態が保持されて、停電後でもマイクロコンピュータは加入者回線からの給電によって動作することになり、これによって、停電後でも通常と同様に使用時間に制限されずに通話動作を実施することが可能である。
【００１１】
請求項２の発明に係る電話装置は、コードレス電話機と、商用電源から電源供給を受けて通話制御を行うマイクロコンピュータと、通話動作の開始と終了を操作する接点スイッチと、商用電源から電源供給を受けてコードレス電話機と無線通信する無線部と、スピーカ及びマイクロフォンを含むハンズフリーホン部と、加入者回線を無線部とハンズフリーホン部とのいずれか一方に接続する接続回路とを有した構成において、電源供給回路では、商用電源による電源供給に並行して、加入者回線の給電に基づいて商用電源よりも低い電位でマイクロコンピュータに電源供給を行い、マイクロコンピュータでは、検出手段により、通話動作中、商用電源からの電源供給断を検出し、判別手段により検出手段により電源供給断が検出された場合に接続回路の接続対象を判別し、保留及び接続切換制御手段により、判別手段により接続対象が無線部であるという判別結果が得られた場合にのみ、通話動作を保留状態にすると共に、接続回路を操作して加入者回線との接続を無線部からハンズフリーホン部に切り換え、保留解除制御手段により、保留及び接続切換制御手段による前記保留状態の間に接点スイッチが操作された場合に保留状態を解除することを特徴とする。
【００１２】
この請求項２の発明によれば、通話動作中に商用電源からの電源供給断が検出され、その際に加入者回線にコードレス電話機と無線通信する無線部が接続されていた場合、通話動作が保留状態にされ、かつ加入者回線の接続が無線部からハンズフリーホン部に切り換えられ、その後に接点スイッチが操作されると、保留状態が解除されるようにしたので、停電前のコードレス電話機による通話動作が停電後は保留状態を介してハンズフリーホン部による通話動作に移行することになる。この場合、加入者回線との接続状態が保持されて、停電後でもマイクロコンピュータは加入者回線からの給電によって動作するので、停電後でも通常と同様に使用時間に制限されずに通話動作を実施することが可能である。
【００１３】
請求項３の発明に係る電話装置は、請求項２記載の発明において、保留及び接続切換制御手段のＤＴＭＦ発生回路により発生させたＤＴＭＦ信号を加入者回線とハンズフリーホン部とに送出することを特徴とする。
【００１４】
この請求項３の発明によれば、請求項２記載の発明において、保留状態のときにＤＴＭＦ信号を加入者回線とハンズフリーホン部とに送出するようにしたので、加入者回線に接続される相手端末に対して保留状態を報知して相手端末との回線接続状態を保持することが可能であると共に、ハンズフリーホン部を通して使用者に保留状態を報知してハンズフリーホン部側で通話するように案内することが可能である。
【００１５】
【発明の実施の形態】
以下に添付図面を参照して、この発明に係る好適な実施の形態を詳細に説明する。
図１はこの発明に係る電話装置の一実施の形態を示すブロック図である。図１に示された電話装置は、例えば、マイコン１、回線接続部２、給電状態形成回路３、加入者回線電源部４、通話接続切換部５、ハンズフリーホン部６、商用電源部７、無線部８、及びキー部９を備えている。
【００１６】
マイコン１は、商用電源部７からの電源（例えば５Ｖ）もしくは加入者回線電源部４からの電源（例えば３Ｖ）を供給されることにより装置全体を制御する。マイコン１はＤＴＭＦ発生回路１ａを有しており、例えば通話中の電源断時にこのＤＴＭＦ発生回路１ａによりＤＴＭＦ信号を発生させる。
【００１７】
回線接続部２は、回線接続回路２１とブリッジダイオード２２とを有しており、このブリッジダイオード２２を介して音声信号の送受信を実施する。
【００１８】
給電状態形成回路３は、ＰＮＰ型のトランジスタ３１ａ、ＮＰＮ型のトランジスタ３１ｂ，３１ｃ，３１ｄ、抵抗器３２ａ，３２ｂ，３２ｃ，３２ｄ、逆流防止用のダイオード３４ａ，３４ｂ、及びスピーカホン（以下にＳＰと称する）スイッチ３５を備えている。
【００１９】
トランジスタ３１ａは、そのエミッタがブリッジダイオード２２に結合され、そのコレクタが加入者回線４に結合され、そのベースが抵抗器３２ｂを介してトランジスタ３１ｂのコレクタに接合される。
【００２０】
トランジスタ３１ｂは、そのエミッタが接地され、そのベースが、抵抗器３３ｄを介してのマイコン１とトランジスタ３１ｃのコレクタとに結合される。トランジスタ３１ｃは、そのエミッタが接地され、そのベースがマイコン１に結合される。
【００２１】
トランジスタ３１ｄは、そのエミッタが接地され、そのベースがＳＰスイッチ３５に結合され、そのコレクタが加入者回線電源部４と商用電源部７の電源供給線に結合される。
【００２２】
トランジスタ３１ｂと抵抗器３３ｄ間とＳＰスイッチ３５とトランジスタ３１ｄ間とは、ダイオード３４ｂで結合され、ＳＰスイッチ３５からトランジスタ３１ｂのベースにのみ電流が流れ、逆流は阻止される。
【００２３】
トランジスタ３１ａのエミッタ側は抵抗器３２ａを介してＳＰスイッチ３５に結合され、トランジスタ３１ａのコレクタ側は抵抗器３２ｃ及びダイオード３４ａを介してトランジスタ３１ｂのベース側に結合される。
【００２４】
加入者回線電源部４は、レギュレータ４１と逆流防止用のダイオード４２とを有しており、マイコン１を含む内部回路に電源を供給する。レギュレータ４１は、ダイオード４２を介してマイコン１に結合され、加入者回線からの電源供給により例えば３Ｖ（ボルト）の電位をマイコン１を含む内部回路に供給する。
【００２５】
通話接続切換回路５は、２線−４線変換器５１とオーディオパス回路５２とを有しており、ハンズフリーホン部６による通話と無線部８を介しての不図示のコードレス電話機による通話とのいずれか一方にパス設定を切り換える。
【００２６】
２線−４線変換器５１は、ハンズフリーホン部６もしくはコードレス電話機を用いた通話の際に、音声信号の送受信を２線−４線変換する。
【００２７】
ハンズフリーホン部６は、ハンズフリーホンＩＣ（以下にＨ／ＦＩＣと称する）にアンプ６２を介してのスピーカ６３とマイクロフォン６４とを結合した構成である。Ｈ／ＦＩＣ６１及びアンプ６２には、加入者回線４と商用電源部７との電源供給線が接続される。
【００２８】
商用電源部７は、ＡＣアダプタ７１、レギュレータ７２、及び逆流防止用のダイオード７３を有しており、マイコン１を含む内部回路に電源を供給する。ＡＣアダプタ７１は商用電源（ＡＣ電源）をＤＣ電源に変換し、レギュレータ７２はＡＣアダプタ７１から供給されるＤＣ電源に基づいて例えば５Ｖの電位をダイオード７３を介してマイコン１を含む内部回路に供給する。
【００２９】
無線部８は、無線ユニット８１とアンテナ８２とを有しており、不図示のコードレス電話機との無線通信を行う。無線ユニット８１は、オーディオパス回路５２に結合され、アンテナ８２を介して受信される音声信号をオーディオパス回路５２に送出したり、オーディオパス回路５２から送られてくる音声信号を電波にしてコードレス電話機に送信する。
【００３０】
なお、無線ユニット８１は、商用電源部７のレギュレータ７２の出力に結合されており、レギュレータ７２から供給される５Ｖの電位で作動する。
【００３１】
キー部９は、「０」〜「９」までの１０個の数字キー、「＊」キー、及び「＃」キーを有している。各キーがプッシュ操作されることにより、発呼時のダイアル発信や各種ファンクションが実施する。
【００３２】
次に、動作について説明する。
この実施の形態による電話装置は、停電時のバックアップ電源を付加していないので、停電時に発呼動作を行う場合には、給電状態形成回路３においてＳＰスイッチ３５の操作により加入者回線からの給電状態を形成する必要がある。
【００３３】
また、ハンズフリーホン部６による通話中に停電が生じた場合には、すでに回線接続が確立して電話装置は加入者回線からの給電状態となっていることから、給電状態形成回路３による給電状態の形成操作は不要となる。
【００３４】
ところが、無線部８を介してのコードレス電話機による通話中に停電が生じた場合には、すでに回線接続が確立して電話装置は加入者回線からの給電状態となっているが、無線ユニット８１が５Ｖでは動作せず、３Ｖでも動作可能なハンズフリーホン部６への切換操作が必要となる。
【００３５】
停電時、マイコン１には、加入者回線電源部４と商用電源部７とのいずれからも電源供給が行われないため、マイコン１は停止状態である。
【００３６】
ここで、停電時における給電状態の形成方法について説明する。図２は図１に示した電話装置の信号及び各部のタイミングチャートであり、同図において、Ｔ１〜Ｔ１０は信号や各部の状態が変化するタイミングを示している。
【００３７】
停電時において、まず、ＳＰキー３５がプッシュ操作されると、加入者回線より回線接続部２を介して内部に回線電流が瞬間的に流れ込む。その際、ＳＰスイッチ３５が点接触により一瞬オンされ、そのタイミングＴ１に伴ってトランジスタ３１ｂがオンされる。
【００３８】
このように、トランジスタ３１ｂがオンされると、抵抗器３２ｂからトランジスタ３１ｂのコレクタに電流が流れ込む。そのタイミングＴ２でトランジスタ３１ａは加入者回線からの電流をエミッタからコレクタに流してレギュレータ４１に電源供給を行う。
【００３９】
その際、トランジスタ３１ａのコレクタ側に流れる電流は抵抗器３２ｃ、ダイオード３４ａを介してトランジスタ３１ｂのベースに注入される。これにより、トランジスタ３１ｂはオン状態を保持することになり、これに伴ってトランジスタ３１ａは加入者回線から供給される電流をエミッタからコレクタに継続して流すことになる。
【００４０】
このため、トランジスタ３１ａ、抵抗器３２ｃ、ダイオード３４ａ、トランジスタ３１ｂ、及び抵抗器３２ｂのループ構成にループ電流が発生するので、ＳＰスイッチ３５を押し続けなくても加入者回線からの給電状態を継続的に形成することができる。
【００４１】
レギュレータ４１が作動を開始すると、そのタイミングＴ４で３Ｖの電位でマイコン１に電源が供給される。
【００４２】
このようにして、マイコン１が停止状態から作動状態に移行すると、ハンズフリーホン部６を使用しての通話動作を開始することができる。
【００４３】
マイコン１は、立ち上げ時には、通常の動作状態に入る前（タイミングＴ５）にレギュレータ７２の出力に結合される信号線から電源判別（以下にＰＷＲＦＡＩＬと称する）信号を取り込み、商用電源から電源供給を受けられるかかどうか（停電中かどうか）を判断する。
【００４４】
ＡＣアダプタ７１が商用電源に接続されていなかったり、停電時にはＰＷＲＦＡＩＬ信号がロウ（ＬＯＷ）状態なので、マイコン１は加入者回線の電源供給を受けて通話動作に入る。
【００４５】
例えば、キー部９よりダイヤル操作が検出されると、そのタイミングＴ６でフック（以下にＨＫと称する）信号がトランジスタ３１ｃに供給され、フックイネーブル（以下にＨＥＮと称する）信号がマイコン１に供給される。
【００４６】
その後、再びＳＰスイッチ３５がプッシュ操作されると、そのタイミングＴ７でトランジスタ３１ｄがオンされる。このとき、レギュレータ４１よりマイコン１に電源が供給されていることから、マイコン１にはＳＰスイッチ３５のキーダウン（以下にＫＤＷＮと称する）信号が供給される。
【００４７】
この場合のＫＤＷＮ信号は終話を示すので、マイコン１は終話動作に入り、タイミングＴ１０でＨＫ信号をオフして通話動作を終了する。
【００４８】
次に、マイコン１の動作について具体的に説明する。
［停電中の発呼］
図３は停電中の発呼動作を説明するフローチャートである。停電中には、上述したように、ＳＰスイッチ３５のプッシュ操作を起点として給電状態形成回路３にループ電流が形成されると、加入者電源部４の電源供給によってマイコン１が立ち上がる。
【００４９】
マイコン１は、立ち上げ時にまずＰＷＲＦＡＩＬ信号を検出して、そのＰＷＲＦＡＩＬ信号がイネーブルか否かを判断する（ステップＳ１）。これは商用電源から電源供給を受けられるかかどうか（停電中かどうか）の判断である。
【００５０】
ＡＣアダプタ７１が商用電源に接続されていなかったり、停電状態が継続していると、ＰＷＲＦＡＩＬ信号はロウ（ＬＯＷ）状態となるので、マイコン１はイネーブルという判断を下して（ステップＳ２）、オーディオパス回路５２に対してパスをハンズフリーホン部６側に設定する。すなわち、マイコン１は、“ＳＰ”（スピーカホン）を示すパスコントロール（ＰＣＮＴ）信号をオーディオパス回路５２に供給する。
【００５１】
この後、マイコン１はダイヤル発信を制御する等して回線接続処理を開始する（ステップＳ３）。
【００５２】
上述したステップＳ２において、ＰＷＲＦＡＩＬ信号がディセーブルであるという判断結果が得られた場合には、商用電源部７からの電源供給が有効となっているので、マイコン１は、通常通りの初期設定処理を行った後（ステップＳ５）、発呼要求もしくは被呼の待機状態となる（ステップＳ６）。
【００５３】
なお、停電中に着呼があった場合には、ベル信号によりリンガーが起動する以外は、上述した発呼時の動作と同様のため、説明を省略する。
【００５４】
［通話中の停電］
図４は通話中の停電動作を説明するフローチャートである。通話中、マイコン１は、ＰＷＲＦＡＩＬ信号を検出して（ステップＳ１１）、その状態がイネーブルか、もしくはディセーブルかを判断する処理を繰り返し実行する（ステップＳ１２）。
【００５５】
もしＰＷＲＦＡＩＬ信号がイネーブル状態に移行すると、マイコン１は、現在オーディオパス回路５２に設定しているパスを確認して（ステップＳ１３）、どのパスが使用されているのか判定する（ステップＳ１４）。
【００５６】
パスには、“ＳＰ”（ハンズフリーホン部６のパス）とコードレス電話機のパス“ＣＴ”とがあり、パスが“ＳＰ”に設定されていた場合には、ハンズフリーホン部６による通話動作を加入者回線からの給電状態のまま継続するため、処理はステップＳ１９に移行し、パスが“ＣＴ”に設定されていた場合には、コードレス電話機による通話動作をハンズフリーホン部６による通話動作に切り換えるため、処理はステップＳ１５に移行する。
【００５７】
処理がステップＳ１４からステップＳ１９に移行した場合には、マイコン１は、再びＰＷＲＦＡＩＬ信号を検出して（ステップＳ１９）、その状態が今度はディセーブルか否かを判断する（ステップＳ２０）。これは商用電源部７の復帰を確認する動作であり、イネーブル状態からディセーブル状態への移行が確認されると、商用電源が復帰したものとして処理は再びステップＳ１１に戻る。
【００５８】
また、処理がステップＳ１４からステップＳ１５に移行した場合には、マイコン１は、ＤＴＭＦ発生回路１ａを制御してＤＴＭＦ信号を発生させ、これを加入者回線とハンズフリーホン部６のスピーカ６３に送出する。このＤＴＭＦ信号は保留音として送出されるものであり、通話相手との回線接続状態の保持及び本機使用者に対する停電報知に使用される。
【００５９】
なお、コードレス電話機の使用時に停電が生じた場合には、無線部８からコードレス電話機に対してＲＦパワーが断たれることから、コードレス電話においては、例えば圏外アラームを報知することにより、ハンズフリーホン部６による通話への切り換えをガイダンスすることができる。
【００６０】
また、このステップＳ１５では、保留音の送出に伴ってパスが強制的に“ＳＰ”に切り換えられる。これによって、加入者回線とハンズフリーホン部６とが電気的に結合する。
【００６１】
保留状態はＳＰキー３５のプッシュ操作だけで解除されるので、マイコン１は、以降、ＫＤＷＮ信号を検出し（ステップＳ１６）、その状態がイネーブルすなわちＳＰキー３５がプッシュ操作されたか否かを判断する処理を繰り返し実行する（ステップＳ１７）。
【００６２】
この後、ステップＳ１７においてＫＤＷＮ信号がイネーブルであるという判定結果が得られた場合には、マイコン１は、ＤＴＭＦ発生回路１ａによるＤＴＭＦ信号の発生を停止して保留を解除する（ステップＳ１８）。これによって、すでに加入者回線に結合されているハンズフリーホン部６を用いた通話制御が行われる。
【００６３】
このハンズフリーホン部６による通話制御の場合にも、ステップＳ１９及びＳ２０によりＰＷＲＦＡＩＬ信号のイネーブル状態の検出によって商用電源の復帰が確認される。
【００６４】
［停電中の終話］
図５は停電中の終話動作を説明するフローチャートである。停電時の通話中には、マイコン１は、ＫＤＷＮ信号を検出して（ステップＳ２１）、その状態がイネーブルに移行したか否かを判断する処理を繰り返し実行する（ステップＳ２２）。
【００６５】
ステップＳ２２においてＫＤＷＮ信号のイネーブル状態が確認されると、マイコン１は、回線断処理を実行して、通話動作を終了する（ステップＳ２３）。
【００６６】
すなわち、ＳＰキー３５のプッシュ操作があると、ＫＤＷＮ信号がイネーブル状態に移行することから、停電中の終話制御はＳＰキー３５をプッシュ操作して実行させる。
【００６７】
以上説明したように、この実施の形態によれば、商用電源から電源供給が断たれている間に接点スイッチであるＳＰスイッチ３５が操作されると、給電状態形成回路３により加入者回線からの給電状態を形成し、給電状態形成回路３によってマイコン１に電源を供給することで通信制御を行うようにしたので、停電後でもマイコン１は加入者回線からの給電によって動作することになり、これによって、停電後でも通常と同様に使用時間に制限されずに通話動作を実施することが可能である。
【００６８】
また、通話動作中、商用電源からの電源供給断が検出された場合にハンズフリーホン部６による通話状態が保持されるようにしたので、加入者回線との接続状態が保持されて、停電後でもマイコン１は加入者回線からの給電によって動作することになり、これによって、停電後でも通常と同様に使用時間に制限されずに通話動作を実施することが可能である。
【００６９】
また、通話動作中に商用電源からの電源供給断が検出され、その際に加入者回線にコードレス電話機と無線通信する無線部８が接続されていた場合、通話動作が保留状態にされ、かつ加入者回線の接続が無線部８からハンズフリーホン部６に切り換えられ、その後にＳＰキー３５が操作されると、保留状態が解除されるようにしたので、停電前のコードレス電話機による通話動作が停電後は保留状態を介してハンズフリーホン部６による通話動作に移行することになる。この場合にも、加入者回線との接続状態が保持されて、停電後でもマイコン１は加入者回線からの給電によって動作するので、停電後でも通常と同様に使用時間に制限されずに通話動作を実施することが可能である。
【００７０】
また、保留状態のときにＤＴＭＦ発生回路１ａを制御してＤＴＭＦ信号を加入者回線とハンズフリーホン部６とに送出するようにしたので、加入者回線に接続される相手端末に対して保留状態を報知して相手端末との回線接続状態を保持することが可能であると共に、ハンズフリーホン部６を通して使用者に保留状態を報知してハンズフリーホン部６側で通話するように案内することが可能である。
【００７２】
【発明の効果】
請求項１の発明によれば、通話動作中、商用電源からの電源供給断が検出された場合にハンズフリーホン部による通話状態が保持されるようにしたので、加入者回線との接続状態が保持されて、停電後でもマイコンは加入者回線からの給電によって動作することになり、これによって、停電後でも通常と同様に使用時間に制限されずに通話動作を実施することが可能な電話装置を得られるという効果を奏する。
【００７３】
請求項２の発明によれば、通話動作中に商用電源からの電源供給断が検出され、その際に加入者回線にコードレス電話機と無線通信する無線部が接続されていた場合、通話動作が保留状態にされ、かつ加入者回線の接続が無線部からハンズフリーホン部に切り換えられ、その後に接点スイッチが操作されると、保留状態が解除されるようにしたので、停電前のコードレス電話機による通話動作が停電後は保留状態を介してハンズフリーホン部による通話動作に移行することになる。この場合、加入者回線との接続状態が保持されて、停電後でもマイコンは加入者回線からの給電によって動作するので、停電後でも通常と同様に使用時間に制限されずに通話動作を実施することが可能な電話装置を得られるという効果を奏する。
【００７４】
請求項３の発明によれば、請求項２記載の発明において、保留状態のときにＤＴＭＦ信号を加入者回線とハンズフリーホン部とに送出するようにしたので、加入者回線に接続される相手端末に対して保留状態を報知して相手端末との回線接続状態を保持することが可能であると共に、ハンズフリーホン部を通して使用者に保留状態を報知してハンズフリーホン部側で通話するように案内することが可能な電話装置を得られるという効果を奏する。
【図面の簡単な説明】
【図１】この発明に係る電話装置の一実施の形態を示すブロック図である。
【図２】図１に示した電話装置の信号及び各部のタイミングチャートである。
【図３】停電中の発呼動作を説明するフローチャートである。
【図４】通話中の停電動作を説明するフローチャートである。
【図５】停電中の終話動作を説明するフローチャートである。
【符号の説明】
１  マイコン
１ａ  ＤＴＭＦ発生回路
２  回線接続部
３  給電状態形成回路
４  加入者回線電源部
５  通話接続切換回路
６  ハンズフリーホン部
７  商用電源部
８  無線部
９  キー部
【図１】
0003793298.tif 000002
【図２】
0003793298.tif 000003
【図３】
0003793298.tif 000004
【図４】
0003793298.tif 000005
【図５】
0003793298.tif 000006